(57)【要約】【課題】  美容ローラーマッサージ器の使用に際して生ずる上述の不具合を解消するため、皮膚面に対し最適なリズムで適切な押圧力と打撃力を熟練を要することなく容易に付与することができる回転打撃部を備えた美容ローラーマッサージ器を提供すること。【解決手段】  皮膚面を押圧ないし打撃する回転打撃部を備えたローラー４を、握りとなる棒状基軸１の少なくとも一端へ回転自在に装着した美容ローラーマッサージ器において、前記ローラー４の外周面に形成する回転打撃部41の少なくとも一つを他の回転打撃部41に対し可変ピッチに形成したこと。【選択図】図４
2010004625.tif 000002
【特許請求の範囲】
【請求項１】
皮膚面を押圧ないし打撃する回転打撃部を備えたローラーを、握りとなる棒状基軸の少なくとも一端へ回転自在に装着した美容ローラーマッサージ器において、前記ローラーの外周面に形成する回転打撃部の少なくとも一つを他の回転打撃部に対し可変ピッチに形成したことを特徴とする美容ローラーマッサージ器
【請求項２】
前記ローラーは、前記基軸にその軸と一体に設けた可撓性の支持軸にベアリングを介して回転自在に装着した請求項１の美容ローラーマッサージ器。
【請求項３】
回転打撃部は、前記支持軸の中心軸に対して捩り角を付けて設けた請求項１又は２の美容ローラーマッサージ器。
【発明の詳細な説明】
【技術分野】
【０００１】
本発明は、ローラーの回転により主として人の顔の肌の表皮，皮下に波動を生起し、交感神経の刺激や酸化脂肪の除去などにより美顔を作り上げるための美容ローラーマッサージ器に関する。
【背景技術】
【０００２】
美肌は、本来的に人の肌が持っている代謝機能を十分に発揮させるため、血液やリンパなどの循環系の作用を良好に維持することにより実現されることはよく知られている。その最も身近な方法の一つは洗顔である。
一方、昨今では水にも汗にも強く、色落ちしない化粧品ならびにそれらを用いた鮮やかなメイクが人気を博し、汗落ちなどしない、いわゆる落ちにくい化粧品の使用頻度が高い。特に、皮膚用の化粧品には、シリコン系またはタール系の原料による強い粘着性のものが多いが、メイクを落す洗顔時においては、ダブル洗顔をしたり、強力なクレンジング・オイルなどを用いて当該メイクを落とす必要がある。【０００３】
しかし乍ら、毛穴に詰まった落ちない化粧品は、上記のようなクレンジング剤等を用いても完全に落とすことは相当に困難である。そこで、ブラッシングやタオルなどによってこれを擦り取ろうとすると、肌に強い刺激を与えてしまうことがあり、そのダメージから代謝機能が低下して皮膚の老化が進み、皮肉にも洗顔によって顔の肌が荒れてしまうという不都合が生じている。【０００４】
肌荒れ防止については、美顔の研究家や専門家らの多くが、ローラーマッサージ器を用いた美顔法を提唱している。また、美顔のために考案された美容ローラーマッサージ器も既に多数存在している。ここで、美容ローラーマッサージ器の使用時に最も注意しなければならないのは、皮膚面に対して過剰な刺激を与えないことである。特に、顔の皮膚の結合組織は、顔筋に密着して張付いているので、過度の刺激によって顔筋と皮膚とが剥離すると、ちりめん様の皺が発生したり、あるいは静脈血管が遊離して皮膚を弛ませるなどの危険を伴うといわれている。【０００５】
ところで、従来の美容ローラーマッサージ器は、使用者が所望する強さに応じた押圧力ないし打撃力が付与されるように構成されたものであるが、上述のように、思わず強い力を加えて使用した結果生じる皮下出血等の不具合が依然として多数報告されている。【０００６】
これに関連して、リンパ等の循環系の状態を良くする方法として、指先で皮膚面を軽く叩く「叩打法」というマッサージ法が古くから知られている。これは、リンパの循環を良くするのに最適な美容法といわれ、この方法によれば、顔筋と皮膚との結合状態に悪影響を及ぼすことなく、皮膚面に適度な刺激を与えることができる。このような理由から、現在、肌をなるべく擦らずに済む「叩打法」を実践する美容家が増加傾向にある。
【特許文献１】実用新案登録第３０９１８３６号公報
【発明の開示】
【発明が解決しようとする課題】
【０００７】
そこで本発明は、美容ローラーマッサージ器の使用に際して生ずる上述の不具合を解消するため、皮膚面に対し最適なリズムで適切な押圧力と打撃力を熟練を要することなく容易に付与することができる回転打撃部を備えた美容ローラーマッサージ器を提供することを課題とする。
【課題を解決するための手段】
【０００８】
上記の課題を解決するためになされた本発明美容ローラーマッサージ器の構成は、皮膚面を押圧ないし打撃する回転打撃部を備えたローラーを、握りとなる棒状基軸の少なくとも一端へ回転自在に装着した美容ローラーマッサージ器において、前記ローラーの外周面に形成する回転打撃部の少なくとも一つを他の回転打撃部に対し可変ピッチに形成したことを特徴とするものである。【０００９】
本発明ローラーマッサージ器において、前記ローラーは、前記基軸にその軸と一体に設けた可撓性の支持軸にベアリングを介して回転自在に装着することが好ましい。これによって肌へ直接、使用者の力が伝わりにくくすることができる。また、本発明ローラーマッサージ器では、回転打撃部を、前記支持軸の中心軸に対して捩り角を付して形成したものもある。
【発明の効果】
【００１０】
本発明ローラーマッサージ器は、前記ローラーの外周面に形成する回転打撃部の少なくとも一つを他の回転打撃部に対し可変ピッチに形成すると共に、前記ローラーを基軸と一体に設けた可撓性の支持軸にベアリングを介してその基軸に回転自在に装着したので、不必要に強い力を以て皮膚面を押圧したり打撃することがない。また、ピッチ可変のローラーによる押圧や打撃は、不等ピッチゆえに回転時に最適なリズムを肌に伝えるので、美容効果が一段と高まる。また、回転打撃面を備えたローラーが可撓性の支持軸にベアリングを介して装着されているので、前記効果がさらに助長される。【００１１】
上記のように本発明ローラーマッサージ器は、皮膚面に対する過剰な刺激によって顔筋と皮膚とが剥離してちりめん様の皺を発生させたり、静脈血管が遊離して皮膚を弛ませるといった不具合はほぼ完璧に回避することができる。
【発明を実施するための最良の形態】
【００１２】
次に、本発明の実施の形態例について図に拠り説明する。図１は本発明ローラーマッサージ器の一例を示した正面図、図２は図１のマッサージ器の縦断正面図、図３は図１，図２のマッサージ器の使用態様の一例を示した斜視図、図４は回転打撃部の取付態様の一例を説明するための図２のＡ−Ａ線矢視拡大断面図である。【００１３】
図１〜図４において、１は、一例としてほぼ万年筆の太さ程度の外径と長さを有する基軸で、その両端の延長線上に設けた支持軸２，３に、回転打撃ローラー４とクーラントローラー５が回転自在に設けられている。4aと5aは、前記のローラー４と５及び支持軸２と３の間に介在させたベアリング、６は基軸１の中間部に位置可変に設けた合成樹脂系など非金属製のフィンガーアタッチメントである。【００１４】
前記フィンガーアタッチメント６は、基軸１に対して装着位置を変更するため、ビス止めやこのアタッチメント６と基軸１の当接面のフリィクションなどにより、当該基軸１の所望位置に移動させてそこで仮止めすることができるように形成されている。また、このアタッチメント６は、図３に例示するように基軸１を握った手Ｈの指先ｆを支えるための部材として機能させるため、弾性を有する合成ゴム系の材料により形成することが望ましいが、他の材質、例えばメタル材を用いることもできる。さらに、このアタッチメント６は、その外周近くに設けた段部6aにおいてキャップＣを着脱式に装着して保持するためのキャップストッパとして利用することができる。【００１５】
一方、前記支持軸２，３は、ナイロン等の弾力的に撓む材料で形成し、基軸１に対して前記ローラー４，５が微小角であるが撓む（傾斜）ことができるように形成されている。支持軸２，３の可撓性は、使用時において前記ローラー４，５にかかる使用者の力をその撓みで吸収し、肌に直接使用者の力が加わらないようにするためのものである。ここで2a，3aは支持軸２，３を基軸１に取付けるための固定用ビスである。【００１６】
上記の、フィンガーアタッチメント６の基軸１への装着において、基軸１を挿通させる中心穴の内面と基軸１の外面には、合成ゴム系材料などによって摩擦力を持たせたり、或は、当該アタッチメント６の外周上に、そこから基軸１の外面へ達する押えビス6bを設け、該ビス6bの締緩させる構成を採ることができる。この構成によって当該アタッチメント６の基軸１の上での前後の位置と回転した向きを自由に変化させることができる。【００１７】
以上の構成により、図３に示すように、クーラントローラー５の側にキャップＣを装着し、そのキャップＣを安定的なグリップとして軽く握りマッサージを行うことができる。なお、図示しないが回転打撃ローラー４の側にもキャップＣを装着した場合には両キャップＣの内部に夫々のローラー４，５を完全に収納することができるので、本発明ローラーマッサージ器をハンドバッグなどに入れて持運びするときなどに便宜である。両キャップＣはフィンガーアタッチメント６の段部6aに嵌合して装着状態が保持される。【００１８】
本発明ローラーマッサージ器においては、３つの回転打撃面41を有する回転打撃ローラー４を、図４の拡大断面図に例示するように、３つの回転打撃面41のうち少なくとも１個、図の例では３個ともが、ベースとなるローラーブロック42に対し、その立ち姿（角度）を変更できるように結合している。図４の例では、３個の打撃面41は、すべて前記ローラーブロック42に対し、角度が変更できる構成を以て当該ブロック42に装着されている。【００１９】
すなわち、回転打撃面41は、その裏面の略中心に、下方へ向け突出した断面円形状の嵌合足41aを有するように形成されている。一方、当該打撃面41をその嵌合足41aにおいて支持するローラーブロック42には、断面が大略六角形状をなし、６つ辺における３つの斜辺面41cのそれぞれの中心部に、当該嵌合足41aを嵌合挟持する嵌合溝41bが形成されている。各打撃面41は、通常は各打撃面41と各斜辺面41cと平行な向きで、夫々の足41aと溝41bのフリクションによって、その平行姿勢が固定保持されるようになっている。【００２０】
各嵌合溝41bに嵌合足41aにおいて嵌合挟持された３つの回転打撃面41は、各斜辺面41cに対し、夫々に、各打撃面4a（又はその裏面）がなす傾きを、図３の断面で見て右方又は左方へ任意に傾け、その傾き角を保持することができる。この傾きは嵌合溝41bの開口部が拡開していることにより確保され、また、傾き角の保持力は、ここでは一例として嵌合溝41bの嵌合足41aに対する挟持力とフリクションにより得るようにしている。【００２１】
上記の各打撃面41の傾き角可変機能により、本発明ローラーマッサージ器においては、各打撃面41の相互間のピッチを自由に変えることが可能となる。各打撃面41の前記ブロック42の上におけるピッチを、図４の回転中心（支持軸２）に関して不均等にすることにより、純粋に心地よい不均等なリズムでの肌の押圧，打撃マッサージをすることができる。このような３つの打撃面41の不均等なピッチは、各打撃面41の傾き度合との組合せによって少なくとも６種類を実現することができる。【００２２】
以上のように本発明ローラーマッサージ器では、１つの回転打撃ローラー４の回転によって、少なくとも６パターンの不均等ピッチの押圧，打撃を人の肌に付与できるから、肌の表皮と皮下に不等ピッチの波動を生起させることができ、従来の１パターンの押圧，打撃しかできないローラーマッサージ器に比べ、はるかに効率がよく、かつ、高い効果が得られるマッサージを人の肌に施すことができる。【００２３】
本発明は上述した実施例において、次のような変形した実施態様を採ることができる。
まず、上記例の打撃面41はフラットであったが、本発明では打撃面を緩やかな中高面にしたり緩やかに凹陥した面に形成したものを使用することができる。
また、各打撃面41の下面に設けた嵌合足41aとローラーブロック42に設けた嵌合溝41bは、支持軸２などの軸の中心に関し、捩り角を付けた構成としてもよい。
さらに、打撃面41の外周縁を波形に形成して、人の肌に各打撃面41が平面から見て順次波状に接し、打撃面41の押圧や打撃力による叩打法が肌に波形の位相差を以て施されることとなる。
【産業上の利用可能性】
【００２４】
本発明は以上のとおりであって、皮膚面を押圧ないし打撃する回転打撃部を備えたローラーを、握りとなる棒状基軸の少なくとも一端へ回転自在に装着した美容ローラーマッサージ器において、前記ローラーの外周面に形成する回転打撃部の少なくとも一つを他の回転打撃部に対し可変ピッチに形成してローラーマッサージ器を形成したので、皮膚面に対し最適なリズムで適切な押圧力と打撃力を熟練を要することなく容易に付与することができる。【００２５】
特に、前記ローラーは、前記基軸にその軸と一体に設けた可撓性の支持軸にベアリングを介して回転自在に装着した肌へ、直接、使用者の力が伝わりにくく、使用者は理想的な美容法である「叩打法」を容易に実践することがでる。【００２６】
しかも、ピッチ可変のローラーによる押圧や打撃は、不等ピッチゆえに回転時に最適なリズムを肌に伝えるので、美容効果が一段と高まる。【００２７】
上述のように本発明ローラーマッサージ器は、皮膚面に対する過剰な力による刺激によって顔筋と皮膚とが剥離することによるちりめん様の皺が発生したり、あるいは静脈血管が遊離して皮膚を弛ませるといった不具合はほぼ完璧に回避することができ、美容マッサージ器としてきわめて有用である。
【図面の簡単な説明】
【００２８】
【図１】本発明ローラーマッサージ器の一例を示した正面図。
【図２】図１のマッサージ器の縦断正面図。
【図３】図１，図２のマッサージ器の使用態様の一例を示した斜視図。
【図４】回転打撃部の取付態様の一例を説明するための図２のＡ−Ａ線矢視拡大断面図。
【符号の説明】
【００２９】
１        基軸
２，３    支持軸
４        回転打撃ローラー
4a        回転打撃部（面）
５        クーラントローラー
６        フィンガーアタッチメント
6a        係合部
Ｃ        キャップ
【図１】
2010004625.tif 000003
【図２】
2010004625.tif 000004
【図３】
2010004625.tif 000005
【図４】
2010004625.tif 000006
【国際調査報告】
2010004625.tif 000007
2010004625.tif 000008
2010004625.tif 000009
2010004625.tif 000010